(57)【要約】【課題】両親に宛てて書く感謝の手紙を単なるその場限りの手紙に終わらせず、両親へのギフトとして使用して頂けるようにグレードアップしたい。子供の結婚後に両親の心にぽっかりと空いた大きな穴を癒すアイテムにしたい。長々と書かれた感謝の手紙はもちろん大切ではある。封筒の中から傷まないようにそ〜と大切にしながら取り出して、これを毎日読むには、忙しい日常では大変時間がかかり過ぎる。又、毎日全部取り出して読むと、手紙の一部を失くしてしまう恐れもある。保存場所が分からなくならないようにしたい。【解決手段】封筒の表側に装飾を施して二重構造の貼り付け片を貼る。貼り付け片の１重目は綺麗なカバーモチーフ、二重目はメッセージ欄である。思いを込めてメッセージを書き込み両親に贈る。封筒は飾って置くことで紛失は無くなり、両親は毎日楽しんで見ることが出来る。【選択図】 図３
2015081101.tif 000002
【特許請求の範囲】
【請求項１】
封筒と貼り付け可能な貼り付け片とのセットであって、貼り付け片は、書き込みが可能なメッセージ欄と、該メッセージ欄に見開き可能に被さり、メッセージ欄を露出させることが可能なカバーモチーフとによって形成され、メッセージ欄の裏面に封筒に貼り付けるための貼付け手段を具えたメッセージ封筒セット。
【請求項２】
カバーモチーフの裏側に写真イラスト欄を設けた請求項1に記載のメッセージ封筒セット。
【請求項３】
書き込みが可能なメッセージ欄と、該メッセージ欄に見開き可能に被さり、メッセージ欄を露出させることが可能なカバーモチーフとによって形成され、メッセージ欄の裏面に封筒を設けたメッセージ封筒。
【請求項４】
カバーモチーフの裏面に写真イラスト欄を設けた請求項３に記載のメッセージ封筒。
【発明の詳細な説明】
【技術分野】
【０００１】
本発明は、メッセージ入りの貼り付け片を封筒に貼り付けて、完成度の高いデコレーション封筒を製作するためのメッセージ封筒セットに関するものである。
【背景技術】
【０００２】
従来から封筒には綺麗なプリント物やデコレーション物は多くあった。しかし
ただ綺麗さを重視しただけの物である。それでも、無地の封筒と比べると、相手には「大切に思っています。」といった気持ちは伝わるが、部屋に飾るほどの物にはなっていない。
結婚披露宴で、新婦が感謝の手紙を読み上げる姿は定番のシーンである。涙ながらに読む感謝の手紙は本人にとっても、親にとっても深く記憶に残る瞬間である。しかしながらその後の手紙の行方は・・・・・。保存場所もわからず、どこかに埋もれてしまっていることがほとんどではないだろうか。
【０００３】
親の立場として新郎新婦を育て上げた親たちはそれぞれの子供が一人前になり、新たな家庭を築くときに、いわば安堵感を抱く瞬間でもある。日常生活のなか、感謝の言葉を聞くことはほとんどない無い。逆を言えばめったにない感謝の言葉をもらえるチャンスが新婦からの両親に宛てた感謝の手紙である。
感謝の手紙、これを何とか綺麗な形で保存をしたい。そんな思いを熱くした。
【０００４】
新郎新婦の立場として人生を振り返った時に、今まで親からしてもらったことのあまりの大きな愛に気が付くことだろう。そこで、せっかく一生に一回かも知れない親への感謝の手紙を書いたのだから、ギフトの形にして親に贈り、いつまでも親に飾って楽しんでもらえる形を残そうと考えた。
この商品はそんな両方の立場からの気持ちを大事に考えたときに生まれたものである。
【発明の概要】
【発明が解決しようとする課題】
【０００５】
両親にあてて書く感謝の手紙を単なるその場限りの手紙に終わらせず、両親へのギフトとして使用して頂けるようにグレードアップしたい。
【０００６】
子供の結婚後に両親の心にぽっかりと空いた大きな穴を癒すアイテムにしたい。長々と書かれた感謝の手紙はもちろん大切ではある。封筒の中から傷まないようにそ〜と大切にしながら取り出して、これを毎日読むには、忙しい日常では大変時間がかかり過ぎる。又、毎日全部取り出して読むと、手紙の一部を失くしてしまう恐れもある。せっかく書いた手紙であるので保存場所が分からなくならないようにしたい。
【課題を解決するための手段】
【０００７】
請求項１記載の発明は封筒と貼り付け可能な貼り付け片とのセットであって、貼り付け片は、書き込みが可能なメッセージ欄と、該メッセージ欄に見開き可能に被さり、メッセージ欄を露出させることが可能なカバーモチーフとによって形成され、メッセージ欄の裏面に封筒に貼り付けるための貼付け手段を具えたメッセージ封筒セットである。
【０００８】
この発明によれば、手紙をもらった人は中の長文の手紙に加えて、ちょこっとした短い文章の濃縮メッセージを一瞬にしてみることが出来る。
【０００９】
請求項２記載の発明はカバーモチーフの裏側に写真イラスト欄を設けた請求項1に記載のメッセージ封筒セットである。
【００１０】
請求項３記載の発明は書き込みが可能なメッセージ欄と、該メッセージ欄に見開き可能に被さり、メッセージ欄を露出させることが可能なカバーモチーフとによって形成され、メッセージ欄の裏面に封筒を設けたメッセージ封筒である。
【００１１】
請求項４記載の発明はカバーモチーフの裏面に写真イラスト欄を設けた請求項３に記載のメッセージ封筒である。
【発明の効果】
【００１２】
綺麗なデザインの封筒なのでギフトとしても贈ることが出来、いつも傍に置いて飾って楽しめる。これにより感謝の手紙+メッセージの存在を目でみて確認できるので、保存場所もわからず、どこかに埋もれてなくなってしまうといった心配はない。また、手紙をもらった人は中の長文の手紙に加えて、ちょこっとした短い文章のちょこっとメッセージを一瞬にしてみることが出来るので毎日親子の絆を感じることが出来る。何故なら、「今までありがとう！幸せになります！」といった言葉や「お母さんの子供に生まれて幸せでした・・・」といったような短い言葉だけで充分幸せな気分になれるのである。カバーモチーフをめくるだけで、見ることが出来る可愛いわが子の直筆の文字のメッセージは、自分の存在価値や、これから先の日々への生きる力をもらえるのである。  又、メッセージ貼り付け片のカバーモチーフの裏面に写真や絵を貼れば、過去の思い出を思い出すことが出来て楽しさが倍増する。
【図面の簡単な説明】
【００１３】
【図１】リボンなどの副資材でデザインし、貼り付け片を貼ったメッセージ封筒の正面図である。
【図２】リボンなどの副資材でデザインし、貼り付け片を貼る前のメッセージ封筒の正面図である。
【図３】貼り付け片をめくり上げたメッセージ封筒である。
【図４】図３のＡ−Ａ断面図である。
【図５】左から貼り付け片の正面図、カバーモチーフをめくり上げた図、側面図である。
【図６】メッセージ封筒の裏面図であり、上はフラップを閉じた図であり、下はフラップを開けた図である。
【図７】リボンなどの副資材でデザインし、貼り付け片を貼ったメッセージ封筒の正面図である。
【図８】リボンなどの副資材でデザインし、貼り付け片を貼る前のメッセージ封筒の正面図である。
【図９】貼り付け片をめくり上げたメッセージ封筒の正面図である。
【図１０】図９のＢ−Ｂ断面図である。
【図１１】左から貼り付け片の正面図、カバーモチーフをめくり上げた図で写真を貼る前と写真を貼った図である。
【図１２】貼り付け片の側面図であって左はめくり上げた状態で右は閉じた状態の図である。
【図１３】吊り下げ部を設けたメッセージ封筒の図であり、上は正面図、下は裏面図である。
【図１４】スタンドを設けたメッセージ封筒の裏面斜視図である。
【発明を実施するための形態】
【実施例１】
【００１４】
先ず、最初に図１〜図６に基づいて実施例１について説明する。
図２にある装飾封筒１ａは封筒の表面の周りにレースリボン８を取り付け、図４に示すように厚紙をサテン生地でくるみ作成した台紙１ｂを上に載せて貼り付け、図１に示すようにその上からリボン８ａや葉形レース９の副資材でデザインを施した。
貼り付け片２は図５で示すように書き込みが可能なメッセージ欄３と、該メッセージ欄３に見開き可能に被さり、メッセージ欄３を露出させることが可能なカバーモチーフ４とによって形成され、メッセージ欄３の裏面に封筒に貼り付けるための貼付け手段である貼り付けシール６を具えている。  カバーモチーフ４は刺繍で作成した。図６に示すように封筒の裏面には封筒のふたの部分（フラップ）を止める為にリボンでストッパー７を作成した。
装飾封筒に貼り付け片を貼り付けて完成したのが図1と図３である。わかりやすく説明するために図３の断面図として図４を作成した。
実施例１は従来の手紙を入れるデコレーション封筒の外にさらにちょこっとメッセージを付加するもので、今までに類を見ない商品の誕生である。
【００１５】
今回の実施例では、カバーモチーフ４は刺繍で作成したが、これに限定するものではなく紙や布で作成しても樹脂シートで作成しても構わない。ほかの装飾に用いる素材も高級なレースなどを使用したが、紙や布で作成しても樹脂で作成しても構わないのはもちろんである。貼り付けシール６は直径1ｃｍ丸の物を用いたが、これも限定されるものではなく、もっと大きくてもいいし、丸い形状ではなく四角形でも構わない。
【実施例２】
【００１６】
図６〜図１２に基づいて実施例２について説明する。
図８に示す装飾封筒１１ａは封筒の表面の周りにレースリボン８１を取り付け、厚紙をサテン生地でくるみ作成した台紙１１ｂを上に載せて貼り付け、その上からリボン、葉形レースの副資材でデザインを施した物で、貼り付け片２１を貼る前の封筒である。貼り付け片２１を貼り付けて完成したメッセージ封筒１１が図７であり、完成したメッセージ封筒１１のカバーモチーフ４１をめくっているのが図９である。構造をわかりやすく説明するために図９の断面を表したのが、図１０である。
貼り付け片２１は図１１や図１２で示すように書き込みが可能なメッセージ欄３１と、該メッセージ欄３１に見開き可能に被さり、メッセージ欄３１を露出させることが可能なカバーモチーフ４１とによって形成され、該メッセージ欄３１に隣接させる形で写真イラスト欄５１を設け、写真イラスト欄５１に写真５１ａを貼り付ける体をなす。
カバーモチーフ４１はサテンリボンで立体的な巻バラを作成した。図１２に示すようにメッセージ欄３１の裏面に封筒に貼り付けるための貼付け手段である貼り付けシール６1を具えている。図６に示すように封筒の裏面には封筒のふたの部分（フラップ）を止める為にリボンでストッパー７を作成した。
実施例１と比べて違うのは貼り付け片２１に写真イラスト欄５１を設けたところである。思い出の写真と一言メッセージで、楽しさが倍増になった。
【００１７】
実施例３について説明する。実施例２と違うところは図１３に示すように、吊り下げ部１０を設けているところである。装飾封筒１２ａは封筒の表面にまず細いリボンで吊り下げ部１０を取り付け、その上から実施例２と同じように封筒表面の周りにレースリボン８１を取り付け、厚紙をサテン生地でくるみ作成した台紙を上に載せて貼り付け、その上からリボン、葉形レースの副資材でデザインを施し、貼り付け片２１を貼り付けた。完成したのがメッセージ封筒１２である。裏面も実施例２と同じであるので記載を省いた。
【００１８】
実施例４について説明する。実施例２と違うところはスタンド１０ａを設けているところである。図１４に示すように装飾封筒１３ａは封筒の裏面にスタンド１０ａを取り付けている体をなす。該スタンド１０ａは厚紙で形成し、両面テープで接着した。あとは実施例２で示すように封筒表面の周りにレースリボン８１を取り付け、厚紙をサテン生地でくるみ作成した台紙を上に載せて貼り付け、その上からリボン、葉形レースの副資材でデザインを施し、貼り付け片２１を貼り付けた。完成したのがメッセージ封筒１３である。裏面も実施例２と同じであるので記載を省いた。
【００１９】
今回の実施例２では、カバーモチーフ４１はサテンリボンで作成した立体巻バラで作成したが、これに限定するものではなく紙や布で作成しても樹脂で作成しても構わない。ほかの装飾に用いる素材も高級なレースなどを使用したが、紙や布で作成しても樹脂で作成しても構わないのはもちろんである。又、写真イラスト欄には今回写真を貼ったが、写真にとどまらず、印刷物やイラスト等思い出の詰まったものなら何でもよい。
実施例１も実施例２もお花の形のカバーモチーフを用いているが、これの限定するものではなく、動物や、建物やほっこりとした気持ちや、きれいだなと思われるものであれば何でも構わない。又、カバーモチーフの大きさは封筒の大きさを超えないサイズまでとする。
実施例３にある吊り下げ部はリボンを用いているが、紐でもシート状の物でも構わない。又実施例４に用いたスタンドは後付けしたが、封筒と一体型でも構わない。
【産業上の利用可能性】
【００２０】
本発明によれば、この従来のデコレーション封筒と違い、手紙を入れる封筒としてはもちろんのこと、封筒の外にもメッセージ欄を設けているので、一層頻繁にちょこっとメッセージを見ることが出来る。又装飾性にも優れているので、長きにわたり飾って楽しむことが出来る。
【符号の説明】
【００２１】
１,１１,１２,１３・・・・・・・・・・・・・・・・・・・メッセージ封筒
１ａ,１１ａ,１２ａ,１３ａ・・・・・・・・・・・・・・・装飾封筒
１ｂ,１１ｂ・・・・・・・・・・・・・・・・・・・・・・台紙
２,２１・・・・・・・・・・・・・・・・・・・・・・・・貼り付け片
３,３１・・・・・・・・・・・・・・・・・・・・・・・・メッセージ欄
４, ４１ ・・・・・・・・・・・・・・・・・・・・・・・ カバーモチーフ
５１・・・・・・・・・・・・・・・・・・・・・・・・・写真イラスト欄
５１ａ・・・・・・・・・・・・・・・・・・・・・・・・写真
６,６１・・・・・・・・・・・・・・・・・・・・・・・・貼り付けシール
７ ・・・・・・・・・・・・・・・・・・・・・・・・・・ストッパー
８,８１・・・・・・・・・・・・・・・・・・・・・・・・レースリボン
８ａ・・・・・・・・・・・・・・・・・・・・・・・・・リボン
９・・・・・・・・・・・・・・・・・・・・・・・・・・葉形レース
１０・・・・・・・・・・・・・・・・・・・・・・・・・吊り下げ部
１０ａ・・・・・・・・・・・・・・・・・・・・・・・・スタンド
【図１】
2015081101.tif 000003
【図２】
2015081101.tif 000004
【図３】
2015081101.tif 000005
【図４】
2015081101.tif 000006
【図５】
2015081101.tif 000007
【図６】
2015081101.tif 000008
【図７】
2015081101.tif 000009
【図８】
2015081101.tif 000010
【図９】
2015081101.tif 000011
【図１０】
2015081101.tif 000012
【図１１】
2015081101.tif 000013
【図１２】
2015081101.tif 000014
【図１３】
2015081101.tif 000015
【図１４】
2015081101.tif 000016